(57)【要約】      （修正有）【課題】家具の外観を損なわずに安全にしかも家具の構造強度を高める仕方で家具を壁に取付ける補助支持器具を提供する。【解決手段】家具Ｍを壁に固定するための補助支持器具１は、少なくとも２つの側部Ｌ、底部Ｆ及び側部を接合する上側継手要素Ｃを有し、補助支持器具１は、各々が少なくとも１つの側部Ｌに固定されると共に壁に固定された少なくとも１枚の支持板２０と協働する係合手段５５を備えた少なくとも２つの側方取付けブラケット５０を含む取付け組立体と協働するようになっている。補助支持器具１は、底部Ｆに固定されると共に２つの側部Ｌ相互間の少なくとも１つの中間位置で上側継手要素Ｃに固定されるようになっている。【選択図】図２
2012232129.tif 000002
【特許請求の範囲】
【請求項１】
家具（Ｍ）を壁（Ｐ）に固定するための補助支持器具（１）であって、前記家具は、少なくとも２つの側部（Ｌ）、底部（Ｆ）及び前記側部を接合する上側継手要素（Ｃ）を有し、前記補助支持器具（１）は、各々が少なくとも１本の側部（Ｌ）に固定された少なくとも２つの側方取付けブラケット（５０）を含む取付け組立体と協働するようになっており、各前記取り付けブラケットは、前記壁（Ｐ）に固定された少なくとも１枚の支持板（２０）と協働する係合手段（５５）を備える、補助支持器具（１）において、
前記補助支持器具（１）は、前記２つの側部（Ｌ）相互間の少なくとも１つの中間位置で前記底部（Ｆ）と前記上側継手要素（Ｃ）に固定されるようになっている、補助支持器具（１）。
【請求項２】
前記補助支持器具（１）は、前記補助支持器具（１）を前記底部（Ｆ）に固定すると共に前記上側継手要素（Ｃ）に固定するようになった一対の端部要素（２）と、前記底部（Ｆ）と前記上側継手要素（Ｃ）との間の距離と実質的に等しく延びていて、前記２つの端部要素（２）相互間に配置された少なくとも１つの連結要素（３）とを有し、前記連結要素は、従来型固定手段（７）を介して前記２つの端部要素（２）に関連づけられる、請求項１記載の補助支持器具（１）。
【請求項３】
前記連結要素（３）は、摺動要素（４）が摺動可能に嵌め込まれる垂直の直線受座を形成する実質的にＣ字形の中央切欠き（１３）と、前記家具（Ｍ）の方へ向けられた状態の前記支持板（２０）の表面に設けられた直線且つ水平のガイド（２５）に係合するようになっていると共に前記家具（Ｍ）を前記壁（Ｐ）に固定するために前記摺動要素（４）に関連づけられた係合手段（５）とを有する、請求項２記載の補助支持器具（１）。
【請求項４】
前記係合手段（５）は、前記壁（Ｐ）に対する前記家具の位置を水平方向に調節するよう軸線方向に調節可能である、請求項３記載の補助支持器具（１）。
【請求項５】
前記摺動要素（４）は、抜取り防止具（６）、例えばグラブねじを備え、前記グラブねじの頭は、前記家具（Ｍ）が偶発的に外れるのを阻止するよう前記ガイド（２５）の底壁に当接するようになっている、請求項３又は４記載の補助支持器具（１）。
【請求項６】
前記端部要素（２）は、前記端部要素（２）を前記底部（Ｆ）及び前記上側継手要素（Ｃ）に関連づけるよう固定手段（１０）を挿通させる貫通開口部（９，１９，３９）を備えている、請求項２〜５のいずれか１項に記載の補助支持器具（１）。
【請求項７】
前記端部要素（２）は、複数個の止まり開口部（４９）に対応関係をなして嵌め込まれるようになった複数個の軸線方向突出要素（４８）を備え、前記止まり開口部は、垂直方向に沿って前記底部（Ｆ）内と前記上側継手要素（Ｃ）内に延びている、請求項２〜５のいずれか１項に記載の補助支持器具（１）。
【請求項８】
前記端部要素（２）は、前記底部（Ｆ）及び前記上側継手要素（Ｃ）に設けられた溝（５９）内に嵌め込まれるようになった突出フィン（５８）を備えている、請求項２〜５のいずれか１項に記載の補助支持器具（１）。
【発明の詳細な説明】
【技術分野】
【０００１】
本発明は、家具（壁用ユニットであれ自立型ユニットであれ）を壁に固定するようになった支持器具又はハンガに関する。特に、本発明は、側部に連係され又は関連づけられると共に壁に固定された支持板と協働する２つの従来型取付けブラケットと協働関係をなして用いられるようになった家具用の補助支持器具に関する。
【背景技術】
【０００２】
壁用ユニットを取り付けるため、家具と一体であると共に壁に固定された棒状断面材又は板と協働する取付けブラケットによって形成されたいわゆる隠し型の器具を使用することが知られている。
【０００３】
一般に、取付けブラケットは、家具の側部に収容され又はこれらに固定されるので、家具及びその中に入っていると考えられる収納物の重量は、支持板に係合した２つの箇所にのみ加わる。
【０００４】
別法として、家具それ自体の構造を補剛するために側部に平行に家具の内部に配置されるべき追加の分割壁を提供することが可能であり、その場合、別の取付けブラケットを固定して家具の中央領域が撓むことがないようにすることが可能である。
【０００５】
さらに、必然的に、壁に固定された板へのブラケット係合箇所は、家具の側部に対して僅かに側方にずらされ、これは、垂直軸線に対してトルクを生じさせ、かかるトルクにより、予想荷重よりも大きな荷重の場合、家具からの取付けブラケットの離脱が生じる場合があり又は側部が壊れる場合がある。
【０００６】
特に、キャップ（蓋）ではなく、頂部が側部上に直接配置される家具にとって有利な用途を有する別の取付け組立体では、「チェーン」即ち、この場合、好ましくは金属で作られると共にＣ字形の剛性の要素の使用を必要とし、チェーンは、家具の一方の側部から他方の側部まで連続的に延びて壁支持板と協働するようになった補助係合手段の摺動可能な取り付けのための直線状ガイドを形成する。
【０００７】
しかしながら、「チェーン」及び上述の係合手段を含む取付け組立体は、伝統的な取付けブラケットの嵩よりも確実に大きい相当な嵩を形成し、従って、台所用家具とは異なる家具に利用されることはまずない。
【０００８】
最後に、家具の側部に固定され、必要ならば底部及び／又はキャップにも固定された剛性構造体を有する壁係合システムが存在し、この剛性構造体は、これが安定し且つ確実な固定を保証する場合であっても、壁に対する家具の位置を調節することができるようにはなっておらず、従って、家具を位置決めしてから家具それ自体の水平を取ることは困難である。
【発明の概要】
【発明が解決しようとする課題】
【０００９】
壁用ユニットのための上述の公知の係合システムは、一般に、満足の行く程度に役立つが、かかる係合システムは、特に壁用ユニットが長く、幅があり且つ低い場合には不十分であることが分かり、事実、これらの条件下において、かかる壁用ユニットは、出っ張った状態で荷重が掛かり、これは、抜き取り可能な引き出しの場合に非常に深刻になる。最も困難な状況及びかくしてユーザの安全性にとって最も危険なことは、例えば、抜き取り可能な引き出しを備えていて、上方前側領域に偶発的な負荷、例えば子供の体重が加わるベース壁用ユニットの場合である。この状況では、従来型壁取付けシステムは、生じた屈曲荷重に対抗するには十分ではない場合があり、それにより、壁用ユニットが外れたり又はベース壁用ユニットがひっくり返ったりする場合がある。
【００１０】
生じる場合のある別の不都合は、長さが長く且つ高さが非常に低いキャップ及び底部がこれら自体の荷重により又はこれらの受ける荷重のために垂直に屈曲しがちである場合が極めて多いということにある。
【００１１】
これとは異なり、伝統的な取付けブラケット、特に、支持板に対する家具の位置の調節を可能にすると共にこの不具合が生じないようにするのに寄与する家具のための構造補剛要素を提供することができる取付けブラケットと一緒に支持器具を用いることができるようにすれば有利であり、これが、実際に本発明の目的である。
【００１２】
本発明の主な方針は、側部に固定された従来型ハンガと一緒に用いられ、高い耐屈曲性をもたらすことができる補助支持器具を発明することによって技術の現状を超えることにある。
【００１３】
上述の主な方針を念頭に置いて、本発明の目的は、家具の外観に悪影響を及ぼさないよう限定された全体的寸法を有する、家具を壁に固定するための補助支持器具を提供することにある。
【００１４】
本発明のもう１つの目的は、家具を壁に固定するための支持器具であって、家具それ自体の構造的補強手段として働く支持器具を提供することにある。
【００１５】
本発明の別の目的は、家具を壁に固定するための抜取り防止具であって、家具が壁支持板から偶発的に外れることがないようにしてユーザにとっての高い安全性を保証する抜取り防止具を提供することにある。
【００１６】
もう１つ重要な目的は、家具を壁に固定するための補助支持器具であって、通常の且つ公知のシステム、機械及び機器によって得ることができる補助支持器具を発明することにある。
【課題を解決するための手段】
【００１７】
上述の方針及び目的並びに後で説明する方針及び目的は、請求項１に記載された家具を壁に固定するための補助支持器具によって達成され、別の特徴は、従属形式の請求項に記載されている。
【００１８】
本発明の利点及び特徴は、添付の図面を参照して行われる以下の説明から明らかになろう。なお、かかる説明は、例示に過ぎず、本発明は、これには限定されない。
【図面の簡単な説明】
【００１９】
【図１Ａ】本発明の少なくとも補助支持器具を利用することが有利な壁用ユニットの正面図である。
【図１Ｂ】本発明の少なくとも補助支持器具を利用することが有利な壁用ユニットの側面図である。
【図１Ｃ】本発明の少なくとも補助支持器具を利用することが有利な壁用ユニットの斜視図である。
【図２】本発明の２つの補助支持器具を有する壁用ユニットの係合システムの後側斜視図である。
【図３Ａ】壁Ｐに向いた側から見た本発明の支持器具の分解組み立て図である。
【図３Ｂ】壁Ｐに向いた側から見た本発明の支持器具の斜視図である。
【図４Ａ】上述の図に示された家具への補助支持器具の第１の好ましい固定方式を示す拡大図である。
【図４Ｂ】本発明の補助支持器具の断面図である。
【図５Ａ】家具への補助支持器具の第２の好ましい固定方式の詳細斜視図である。
【図５Ｂ】家具への補助支持器具の第２の好ましい固定方式の詳細断面図である。
【図６Ａ】家具への補助支持器具の第３の好ましい固定方式の詳細斜視図である。
【図６Ｂ】家具への補助支持器具の第３の好ましい固定方式の詳細断面図である。
【図７Ａ】家具への補助支持器具の第４の好ましい固定方式の詳細斜視図である。
【図７Ｂ】家具への補助支持器具の第４の好ましい固定方式の詳細断面図である。
【図８Ａ】家具への補助支持器具の第５の好ましい固定方式の詳細斜視図である。
【図８Ｂ】家具への補助支持器具の第５の好ましい固定方式の詳細断面図である。
【発明を実施するための形態】
【００２０】
添付の図は、本発明に従って家具を壁に固定するための補助支持器具１又はハンガの幾つかの好ましい実施形態を示しており、この補助支持器具は、図１Ａ、図１Ｂ及び図１Ｃで理解できるように従来型壁取付け組立体と協働するよう使用されるようになっている。
【００２１】
説明しようとする内容は、取り付け時における支持器具であり、従って、「垂直」、「水平」、「高」及び「低」という用語は、本明細書と特許請求の範囲の記載の両方において、壁に固定されるべき家具の位置に対して理解されるべきである。さらに、説明を簡単にするために、以下の説明において、同一の参照符号は、互いに異なる実施形態において構成が同一であり又は機能が同一である要素に与えられている。
【００２２】
少なくとも２つの側部Ｌ、上側継手要素Ｃ、底部Ｆ及び必要ならば背部Ｓを有する家具Ｍが少なくとも２つの公知の取付けブラケット５０によって壁Ｐに固定されており、各取付けブラケットは、家具の側部Ｌのうちの１つに連係され又は関連づけられると共に係合手段５５を備えている。ブラケット５０は、家具Ｍを壁それ自体に固定するために壁Ｐにしっかりと拘束された少なくとも１つの支持板２０と協働する。
【００２３】
以下の説明及び添付の図において、上側継手要素Ｃは、壁と一致しており、家具の「キャップ」を形成している。当然のことながら、上側継手要素Ｃは、一般に木材又はアルミニウムで作られていて、頂部が配置される後側上縁部と一致して配置された「チェーン」、即ち構造支持要素と一致している。更に、以下の説明において、背部Ｓを有する家具について言及するが、当たり前のこととして、背部Ｓは、例えば抜き取り可能な引き出しの場合に存在していない場合がある。
【００２４】
係合手段５５の各々は、家具に向いた壁支持板２０の表面に形成されている直線且つ水平のガイド２５に係合する調節可能な要素、例えばねじ形であり且つ典型的には円形の頭付き又はマッシュルーム形頭付きの調節要素を有する。
【００２５】
必要ならば、取付けブラケット５０は、壁Ｐに対する家具Ｍの位置を調節するようそれ自体知られている手段を有しても良い。例えば、水平方向の調節は、家具の内側から場合によっては背部Ｓ（存在していれば）に設けられた適当な開口部を通って係合手段５５のねじ山付きステムで行われるのが良く、係合手段５５をブラケット５０の本体内で摺動させると、家具を壁Ｐに対して遠ざけたり近づけたりすることができる。
【００２６】
垂直位置は、これとは異なり、例えば、取付けブラケット５０の内側に設けられた一対の円錐歯車に作用することによって調節でき、この一対の円錐歯車は、２つの互いに直交した軸線に沿って互いに係合し、これら円錐歯車を家具の内側からアレンレンチ（Allen wrench）によって操作することができる。
【００２７】
本発明の固有の特徴によれば、少なくとも底部Ｆ及び上側継手要素Ｃ（キャップであれチェーンであれいずれにせよ）及びもし設けられている場合には背部Ｓにも固定された少なくとももう１つの補助支持器具１が２つの側部Ｌ（図２）相互間の１つの中間位置で取付け組立体に関連づけられている。
【００２８】
図３Ａ及び図３Ｂを参照すると、本発明の補助支持器具１は、一対の端部要素２及びこれら端部要素２相互間に配置された少なくとも１つの連結要素３を有し、連結要素３は、従来型固定要素７、例えばねじを介して端部要素２に関連づけられている。好ましくは、連結要素３は、１つだけのアルミニウム押し出し物で作られ、家具Ｍの垂直方向と実質的に同一の垂直方向に延び、その垂直距離は、底部Ｆと上側継手要素Ｃとの間の距離と実質的に同一である。変形例として、連結要素３は、例えば、２つの別々の押し出し物で作られて平行に端部要素２に取り付けられても良い。
【００２９】
端部要素２は、補助ハンガ１を家具Ｍの底部Ｆ及びキャップＣに、特にこれらの縁部のうちで壁Ｐの最も近くに位置する縁部に一致して、固定するようになっており、図３Ａ、図３Ｂ、図４Ａ及び図４Ｂで理解できるように、各端部要素２は、２つの端部から軸線方向に突き出た少なくとも２つのフィン８を有し、各フィンは、固定手段１０、例えばねじと協働するようになった貫通開口部９を備え、固定手段１０は、前後関係から理解できるように、開口部９の内側に且つ壁Ｐの表面によって定められる平面と直交した方向に沿って家具の底部Ｆ又はキャップＣを形成する壁の開口部１１内に嵌め込まれる。
【００３０】
連結要素３は、実質的にＣ字形の断面をもつ中央切欠き１３を有し、この中央切欠きは、好ましくは、連結要素３それ自体の伸長（長さ）全体にわたって延びると共に垂直の直線受座を形成し、摺動要素４、例えばスライダが摺動可能にこの受座内に嵌められる。係合手段５は、スライダ４に関連づけられ、係合手段５は、軸線方向に調節可能なねじのような部材であり、その頭は、好ましくは、円形又はマッシュルーム形であり、スライダ４の本体に対して突き出ており、そして壁支持板に形成された水平直線ガイド２５に係合するようになっている。
【００３１】
垂直受座１３の底壁は、細長い開口部１２を有し、水平方向に沿って家具の位置を調節するために、適当な工具を用いてこの細長い開口部を通って家具の内側から係合手段５のねじ山付きステムに到達することができる。変形例として、家具の水平方向調節は、それ自体知られているレバー状器具をスライダ４に取り付けることにより実施可能である。
【００３２】
有利には、家具が背部Ｓを有する場合、細長い開口部１２は、背部Ｓそれ自体に形成された対応の開口部４５と係合するよう構成され、それにより、係合手段５を調節することができる。
【００３３】
これとは異なり、垂直方向調節に関し、この垂直方向調節は、好ましくは、上述したように側方取付けブラケット５０を介してのみ実施され、いずれにしても、係合手段５を備えたスライダ４が細長い要素３に設けられている受座１３の内側で自由に摺動することができるので、係合要素５の頭は、常時、重力により又は変形例として適当な弾性要素により壁支持板２０に対して拘束され、従って、垂直方向調節及び水平取りは、側方取付けブラケット５０を介して実施される。
【００３４】
好ましくは、摺動要素４は、家具の偶発的な持ち上げの場合に、これが壁支持板２０から外れ、その結果落下することがないように抜取り防止具６に関連づけられている。
【００３５】
具体的に言えば、抜取り防止具６は、単純な無頭ねじ（グラブねじ）又は類似の要素であるのが良く、その頭は、ガイド２５の下方外壁に当接する（図４Ｂ）。
【００３６】
本発明の補助支持器具１を種々の仕方で家具の底部Ｆ及びキャップＣに固定することができる。図４Ａ及び図４Ｂは、上述したように、適当な固定手段１０を用いる第１の方法を示し、図５Ａ、図５Ｂ、図６Ａ、図６Ｂでは、固定手段１０の使用を考慮した他の２つの考えられる手段が示されており、図７Ａ、図７Ｂ、図８Ａ、図８Ｂでは、外部固定手段を用いないで支持器具１を家具に固定する別の２種類の方法が示されている。
【００３７】
図５Ａ及び図５Ｂに示された固定方式では、各端部要素２は、少なくとも、端部要素本体それ自体に対して突き出ていて、壁Ｐに垂直な平面に沿って配置されたフィン１８を有している。各フィン１８を横切って開口部１９が設けられ、固定手段１０、例えばねじが家具の内側から垂直方向に沿って開口部１９に挿通される。図で理解できるように、家具が背部Ｓを備えている場合、フィン１８は、キャップＣ及び底部Ｆに固定される前に、背部それ自体に形成されている対応の開口部１５を通過するようになっている。
【００３８】
変形例として、図６Ａ及び図６Ｂに示されているように、端部要素２は、固定手段１０、例えばねじを傾斜方向に沿って端部要素２の本体に設けられている貫通開口部３９に通して取り付けることによって底部Ｆ及びキャップＣに固定される。特に、固定手段１０は、いったん配置されると、家具Ｍの背部Ｓにより定められる平面に対して傾斜した平面上に又は変形例として図５Ａ及び図５Ｂに示されている手段と同様に壁Ｐに平行な平面上に配置される。
【００３９】
外部固定手段の使用を不要にする考えられる手段（図７Ａ及び図７Ｂ）では、両方の端部要素２は、端部要素２それ自体の本体から軸線方向に突き出ると共に好ましくは円形部分、例えばペグを含む複数本の要素４８を備える。ペグ４８は、垂直方向に沿って家具の底部Ｆ及びキャップＣ内に延びる円形部分を備えた対応する複数個の止まり開口部４９の中に嵌め込まれるようになっている。
【００４０】
最後に、図８Ａ及び図８Ｂに示されている固定方式では、端部要素又は部材２は、底部Ｆ及びキャップＣに設けられた溝５９内に嵌め込まれるようになった突出フィン５８を有することが必要である。有利には、家具Ｍが背部Ｓを備えている場合、突出フィン５８は、背部Ｓそれ自体の固定のために提供されているのと同一の溝内に嵌め込まれるのが良い。明らかなこととして、この場合、溝５９は、背部Ｓと端部材２のフィン５８の両方の厚さに対応してこれらを収容するために幅が僅かに大きい。
【００４１】
最後に、上述の説明から、本発明に従って家具を壁に固定するための補助支持器具は、本発明の目的及び当初予想される利点を達成することが明らかである。事実、側部に固定された伝統的なハンガと協働するようになっていて、特に張り出した荷重を有する壁用ユニットにおいて高い耐屈曲性を与えることができる補助支持器具が提供されている。
【００４２】
有利には、荷重全体を多くの要素に分散させるために家具の寸法及び／又は形状又は家具の受ける荷重に基づいて必要程度に多くの補助器具を設けることが可能である。
【００４３】
更に、補助支持器具１は、家具の側部に固定されるのではなく、底部及びキャップに関連づけられ、このように、先行技術の家具用固定システムに顕著に見られる撓みを阻止する高剛性固定手段を得ることができる。
【００４４】
さらに、本発明の補助支持器具１を用いることは、これが取り付けられた家具の構造堅牢性に実質的に寄与し、背部、キャップＣ及び底部Ｆが家具の内側に収容された荷重及びこれら自体の重量により撓むのが阻止される。
【００４５】
確かに、補助器具１の嵩が極めて制限されているので、この補助器具は、家具それ自体の外観に全く影響を及ぼさないで家具を壁に固定する際に利用できる。
【００４６】
更に、補助支持器具により提供される家具の抜取り防止具は、家具の偶発的な持ち上げにより、これが外れ、その結果壁支持板から落下するのを阻止する。
【００４７】
当然のことながら、本発明は、特許請求の範囲に記載された本発明の保護範囲内で種々の仕方で設計変更でき、改造でき又は変形できる。
【００４８】
さらに、本発明の実施形態に用いられる材料及び機器並びに各コンポーネントの形態及び寸法は、特定の要件に従って最適であるのが良い。
【符号の説明】
【００４９】
１  補助支持器具
２  端部要素
３  連結要素
４  摺動要素
５  係合手段
６  抜取り防止具
９，１２，３９  開口部
１３  切欠き
２０  支持板
２５  ガイド
４８  ペグ
５０  側方取付けブラケット
５５  係合手段
５８  突出フィン
５９  溝
Ｃ  上側継手要素
Ｆ  底部
Ｌ  側部
Ｍ  家具
Ｐ  壁
【図１Ａ】
2012232129.tif 000003
【図１Ｂ】
2012232129.tif 000004
【図１Ｃ】
2012232129.tif 000005
【図２】
2012232129.tif 000006
【図３Ａ】
2012232129.tif 000007
【図３Ｂ】
2012232129.tif 000008
【図４Ａ】
2012232129.tif 000009
【図４Ｂ】
2012232129.tif 000010
【図５Ａ】
2012232129.tif 000011
【図５Ｂ】
2012232129.tif 000012
【図６Ａ】
2012232129.tif 000013
【図６Ｂ】
2012232129.tif 000014
【図７Ａ】
2012232129.tif 000015
【図７Ｂ】
2012232129.tif 000016
【図８Ａ】
2012232129.tif 000017
【図８Ｂ】
2012232129.tif 000018